(57)【要約】      （修正有）【課題】容易には目覚し機能をオフに出来ない目覚まし時計を提供する。【解決手段】目覚めの為の刺激を発する報知手段と、予め設定された時刻に上記報知手段を動作させるタイマー手段と、重量を計測する重量センサを有し、所定の重量の値を記憶する記憶手段と、重量センサが計測した重量の値とを比較し、比較結果に基づいて誤差が許容範囲内の場合に限り、報知手段の発音停止する。【選択図】図１
2014228505.tif 000002
【特許請求の範囲】
【請求項１】
目覚めの為の刺激を発する報知手段と、予め設定された時刻に上記報知手段を動作させるタイマー手段と、重量を計測する重量センサを本体内部に備えた目覚まし時計において、所定の重量の値を記憶する記憶手段と、上記重量センサが計測した重量の値とを比較し、当該比較結果に基づいて誤差が許容範囲内の場合に限り、上記報知手段の発音停止を指示する制御手段を有することを特徴とする体重計型の目覚まし時計。
【発明の詳細な説明】
【技術分野】
【０００１】
本発明は、目覚まし時計に関し、特に、確実な起床を促す目覚まし時計に関する。
【背景技術】
【０００２】
一般に、家庭用の目覚まし時計は、使用者が任意の時間にアラーム設定を行うと、その設定時間にアラーム音等を発して使用者を覚醒させるものである。しかし、使用者はアラーム音等によって一旦目覚めてもアラーム音停止ボタンを押して再度寝入ったり、又は、無意識のうちにアラーム音停止ボタンを押したりして寝過ごしてしまうことがある。そこで、このような不完全な覚醒を防止するために使用者を覚醒させるような動作に基づく物理量をセンサに感知させてアラーム音の停止を制御する目覚まし時計が考えられている。
【０００３】
例えば、特許文献１には、時刻を計時し、予め設定した時刻に目覚まし音を発する目覚まし時計に、赤外線センサ又は超音波センサ又は重量センサ又は電界センサを備え、これらのセンサによって検出される物理量を電気信号に変換して、人間の動作に基づく変化を感知する制御回路を備え、この制御回路の検出結果によって目覚まし音の発生を制御する手段を備える対人センサ付き目覚まし時計が開示されている。この特許文献１に開示された発明では、使用者が目覚めた後、寝床から起き上がると、赤外線センサでは感知領域内における人体の体温を感知し、超音波センサでは発信される超音波が感知領域内において人体に反射した場合の反射波を認識し、重量センサでは使用者の体重の移動を感知し、そして、電界センサでは誘起電圧の変化を感知して、目覚まし音の停止を制御するので、使用者は起き上がるという動作に伴い確実に目覚めることができる。
【先行技術文献】
【特許文献】
【０００４】
【特許文献１】特開２００５−３１００６
【発明の概要】
【発明が解決しようとする課題】
【０００５】
しかしながら、特許文献１に記載された従来の技術では赤外線センサや超音波センサではセンサを設置する場所が寝床よりも上方に限定され、設置可能な壁や柱を必要とするので、部屋の構造によっては設置できないという課題があった。また、超音波センサについては、超音波発信器が付随するので、装置の構造が複雑な上に高価になるという課題があった。さらに、重量センサ及び電界センサでは、使用者の寝相が悪い場合に誤作動する可能性があるという課題があった。
【課題を解決するための手段】
【０００６】
本発明は、上記目的を達成するために以下の手段を採用している。すなわち、本発明は、目覚めの為の刺激を発する報知手段と、予め設定された時刻に上記報知手段を動作させるタイマー手段と、重量を計測する重量センサを本体内部に備えた目覚まし時計において、所定の重量の値を記憶する記憶手段と、上記重量センサが計測した重量の値とを比較し、当該比較結果に基づいて誤差が許容範囲内の場合に限り、上記報知手段の発音停止を指示する制御手段を有することを特徴とする。
【発明の効果】
【０００７】
本発明の目覚まし時計は、上記の構成を有するので、目覚ましアラーム音を止めるには、あらかじめ設定した体重と同じぐらいの重量を加えなければならないため使用者は布団又は、ベットから起きて目覚まし時計の上に乗らなければアラームが解除されないので、無意識のうちにアラームをオフにしてしまうことなく使用者は確実に目覚めることが可能となる。また、装置の構造が複雑でないため安価に生産が出来、ユーザの体重を計測可能な場所であれば設置場所は制限されないので睡眠場所の周辺などに自由に設置出来る。
【図面の簡単な説明】
【０００８】
【図１】本発明の正面図
【図２】本発明の側面図
【図３】上蓋を外した本発明の正面図
【図４】本発明の裏面図
【図５】利用者から見た操作のフローチャート
【図６】制御手段のフローチャート
【図７】制御手段のボックス図
【発明を実施するための形態】
【０００９】
以下実施例を上げて本発明を説明し、本発明の理解に供する。尚、以下の実施の形態は、本発明を具体化した一例であって、本発明の技術的範囲を限定する性格のものではない。
【実施例】
【００１０】
目覚まし時計１３の形態の一例を示す図である図１は、一般的な体重計の素材、形状である矩形の上蓋３を設け、上蓋３にアラーム音の出力部の孔１２を設ける。上蓋３に時間や体重などを設定、表示する表示画面部１を設け入力設定するスイッチ２を設ける。図４を参照にして矩形の底面部９に電池収納部１０を設ける。図３を参照にして底面部９に重量センサ７のアーム６を４箇所に設ける。底面部９に重量センサ７を設ける。底面部９に圧電スピーカー１１を設ける。底面部９に重量センサ１４、比較手段１５、メモリ１６、タイマー手段１７、計時手段１８、報知手段１９をまとめ、制御する制御手段５を設ける。コード８で重量センサ７と圧電スピーカー１１、表示画面部１、電池収納部１０などを制御手段５につなぐ。上記底面部９本体を支える支持部４を図４を参照に四隅に設ける。本発明は以上の構造よりなる。
【００１１】
上記計時手段１８、タイマー手段１７、報知手段１９は、目覚まし時計としての基本的な機能を提供する。即ち、上記計時手段１８は時計機能を提供し、上記タイマー手段１７は、上記計時手段１８からの時刻データを受信し、当該タイマー手段１７がオンの状態では予め設定された時刻になると上記報知手段１９を動作させる。
【００１２】
上記報知手段１９は、人の目覚めの為の刺激を発するものであり、上記刺激が音で与えられる場合には、時間の経過と共に上記アラーム音が大きくなるようにも出来る。上記報知手段１９は圧電スピーカ１１などが該当する。尚、上記刺激に音以外の例えば光や、振動などが利用される場合には、上記報知手段１９にはフラッシュや、バイブレーション等が該当するが、目覚ましの手段であればどのようなものでもよい。
【００１３】
上記重量センサ１４は体重計としての基本的な機能を提供する。即ち、目覚まし時計１３の上に乗ることで上記重量センサ１４が計測した重量の値を表示画面１に表示する。
【００１４】
続いて、本発明に関わる目覚まし時計１３の処理の詳細について説明する。当該目覚まし時計１３は、ベッド、睡眠場所の周辺に設置される。尚、設置は、ユーザの重量を検知可能な場所であればよい。
【００１５】
上記アラーム音が発せられると、ユーザはアラーム音に反応し当該アラーム音を停止しようとする。しかしながら、上記アラーム音を、停止をするには、上記重量センサ１４が体重を計測して、あらかじめ記憶された設定値とを比較し、当該比較結果に基づいて誤差が許容範囲内の場合に限り、アラーム音が停止される。このため、ユーザはベッドなどの寝具から立ち上がる必要がある。ユーザがベッドから立ち上がるという動作は、停止スイッチを押してしまうという動作とは異なり、無意識に行うことが出来ない。即ち、ユーザは少なくとも意識的に目覚まし時計を停止するための動作（ベッドから立ち上がる動作など）を行う必要があり、確実に目覚めることが可能となる。
【００１６】
また、起床時間前にアラーム設定を解除したい場合も上記と同様に、目覚まし時計１３の上に乗り、あらかじめ記憶させた設定値とを比較し、当該比較結果に基づいて、アラーム設定の停止をする。
【００１７】
上記重量センサ１４は例えば荷重センサ、圧力センサが該当する。また、上記メモリ１６には、計測した重量の値として例えば３（ｋｇ）という値の数値が格納されている。当該数値は、上記重量センサ１４が重量を計測する場合の例であり、上記で述べた数値＝３ｋｇは必ずしも設ける必要はなく、例えば０ｋｇとして比較手段による比較を省略してもよいが、人は就寝中に発汗を伴い、これが体重の減少を招くため、上記数値＝０ｋｇとした場合には実装上問題が生じる可能性がある。このため、適当な数値を設け許容範囲とするのが望ましい。
【００１８】
図５のフローチャートを参照して本発明の使用方法を説明する。入力画面s１１１である表示画面部１をスイッチ２で操作して起床時間を入力s１１２し、確認画面s１１３で確認する。その後、利用者が目覚まし時計１３の上に乗るs114ことでメモリ１６に体重が入力されるs１１５、入力された重量の値を確認画面s１１６で確認し、間違いや、変更がないか内容確認ｓ１１７をする。そして、間違いや、変更があれば起床時間を入力s１１２する画面に戻り再入力して、間違いや、変更がなければ完了画面s１１８に行き、アラームの設定を完了することが出来る。なお、アラーム設定の順番は、上記の例に限らず、体重をメモリ１６に記憶させてから、起床時間を入力してもよい。また、上記の体重をメモリ１６に記憶させる手段は、自動にしているが手動で入力してもよい。
【００１９】
そして、上記で設定した起床時間になるとアラーム音が鳴り始める。前記アラーム音は時間の経過と共に音が大きくなるようにしてもよい。また、表示画面部１は入力設定時やアラーム音が鳴っている間など、使用しているあいだは発光し、暗い場所でも操作しやすく、目覚まし時計の位置がわかりやすいようにしている。
【００２０】
次に図６を参照して制御手段５の説明をする。上記のアラーム設定後、設定時刻前にアラーム設定の解除をする場合は、目覚まし時計１３の上に乗ることで、制御手段５が重量センサから情報がきたか？ｓ１００検知して、重量センサ値とメモリ内の所定値を比較s１０７して、重量センサ値が許容範囲内か？s１０８を判断し、重量センサ値が許容範囲内であれば、アラーム設定が解除され、重量センサ値が許容範囲内でない場合は、アラーム設定は解除されず、アラーム設定後の状態に戻り、起床設定時刻s１０１になるまで、重量センサから情報がきたか？ｓ１００の待機状態になる。
【００２１】
そして、起床設定時刻s１０１になると、報知手段ONs102になることで、アラーム音が鳴り始める。アラーム音は重量センサから情報がきたか？ｓ１０３を検知して、重量センサ値とメモリ内の所定値を比較s１０４して、重量センサ値が許容範囲内か？s１０５を判断した後、重量センサ値が許容範囲内であれば、報知手段OFFs106になり、アラーム設定が解除される。しかし、重量センサ値が許容範囲内でない場合は、報知手段ONs102の状態に戻るため、アラーム音は止まらずになり続くことを特徴とする体重計型の目覚まし時計１３。
【００２２】
なお、本発明に係る目覚まし時計１３は、上記した実施例に限らず、さらに確実な起床を促すように、スヌーズ機能をつけてもよいし、体脂肪計の機能を付けて重量センサの代わりにしたり、更なる個人の特定手段としてもよい。また、毎日の体重や体脂肪をグラフ化して健康管理に役立てるなど、本発明の技術思想が許す範囲内で多様に変形して実施出来る。
【産業上の利用可能性】
【００２３】
本発明は、工業的に量産する事が可能であるため、産業上の利用可能性を有する。また、本発明の目覚まし時計は、設定したアラーム時刻に、確実に目覚めさせることができる効果を有し、一般家庭における目覚まし時計だけでなく、宿泊施設等におけるアラームシステム等にも有用である。
【符号の説明】
【００２４】
１表示画面部、2スイッチ、3上蓋、4支持部、5制御手段、6アーム、7重量センサ、8コード、9底面部、10電池収容部、11圧電スピーカー、12出力部の孔、13目覚まし時計、14重量センサ、15比較手段、16メモリ、17タイマー手段、18計時手段、19報知手段
【図１】
2014228505.tif 000003
【図２】
2014228505.tif 000004
【図３】
2014228505.tif 000005
【図４】
2014228505.tif 000006
【図５】
2014228505.tif 000007
【図６】
2014228505.tif 000008
【図７】
2014228505.tif 000009